(57)【要約】【課題】キーを用いずに施錠できる仮施錠機能とキーによる本施錠機能とを組み合せたものにあって、安全性に優れると共に操作性を向上させた錠前装置を提供する。【解決手段】錠前装置１において、キーロータ６１の解錠位置から本施錠位置への回動操作による本施錠は、キーロータ用ロック機構７６によって、ロックレバー１０が開位置にある状態では阻止され、ロックレバー１０が閉位置にある状態では可能とされ、仮施錠ボタン７の押圧操作は、ボタン用ロック機構７７によって、キーロータ６１が本施錠位置にある状態では阻止され、キーロータ６１が解錠位置にある状態では可能とするように構成されている。【選択図】図２
2009167663.tif 000002
【特許請求の範囲】
【請求項１】
キーを用いずに施錠できる仮施錠機能とキーによる本施錠機能とを組み合せた錠前装置であって、
シリンダ錠取付部を有する本体ケースと、
この本体ケースに基端部を軸支させ、当該本体ケースが取付けられた部材の相手部材に対して係止状態となる閉位置と退避状態となる開位置との間で回動するロックレバーと、
前記本体ケースに突出位置と押込み位置との間で前後方向へ往復移動可能に設けられた一個の仮施錠ボタンと、
前記仮施錠ボタンを前記突出位置側へ付勢するボタン用付勢部材と、
前記ロックレバーと前記仮施錠ボタンとの間に設けられ、前記仮施錠ボタンの押圧操作に伴い前記ロックレバーを前記開位置から前記閉位置へ回動させ、前記仮施錠ボタンの再度の押圧操作に伴い前記ロックレバーを前記閉位置から前記開位置に回動させるプッシュ・プッシュ式のカム機構と、
前記シリンダ錠取付部に取付けられ、キー挿入穴に挿入されるキーにより本施錠位置と解錠位置との間で回動操作されるキーロータを有するシリンダ錠と、
前記キーロータと共に回動するように設けられた係合部材と、
前記ロックレバー基端部の近傍部と前記シリンダ錠との間に位置させて、前記カム機構又は前記ロックレバーと連動するように設けられ、前記カム機構による前記ロックレバーの前記閉位置から前記開位置への回動に伴い前記係合部材に係合して前記キーロータの前記解錠位置から前記本施錠位置への回動操作を阻止し、前記カム機構による前記ロックレバーの前記開位置から前記閉位置への回動に伴い前記係合部材との係合を解除するキーロータ用ロック機構と、
前記仮施錠ボタンと前記シリンダ錠との間に位置させて前記係合部材と連動するように設けられ、前記キーロータの前記解錠位置から前記本施錠位置への回動によって前記係合部材に連動することに伴い前記仮施錠ボタンに係合して前記仮施錠ボタンの押圧操作を阻止し、前記キーロータが前記本施錠位置から前記解錠位置へ回動されることに伴い前記仮施錠ボタンとの係合を解除して前記仮施錠ボタンの押圧操作を許容するボタン用ロック機構とを具備し、
前記キーロータの前記解錠位置から前記本施錠位置への回動操作による本施錠は、前記キーロータ用ロック機構によって、前記ロックレバーが前記開位置にある状態では阻止され、前記ロックレバーが前記閉位置にある状態では可能とされ、
前記仮施錠ボタンの押圧操作は、前記ボタン用ロック機構によって、前記キーロータが前記本施錠位置にある状態では阻止され、前記キーロータが前記解錠位置にある状態では可能とする構成としたことを特徴とする錠前装置。
【請求項２】
前記カム機構は、
前記仮施錠ボタンの後部でピンにより揺動可能に軸支された揺動部材と、
この揺動部材における前記ロックレバー側の先端部に設けられた押圧部と、
前記押圧部に当接可能な山部及びその両側の谷部からなるカム部を有し、前記本体ケースに設けられたブラケットに、前記山部の後部で回動可能に軸支されたカム部材と、
このカム部材の前部に前記山部の突出方向に突設され、前記ロックレバーの基端部に形成された駆動溝に挿入される駆動ピンとを備え、
前記揺動部材は、
前記仮施錠ボタンの押圧操作によって、前記仮施錠ボタンと一体に前記押込み位置側へ移動して前記押圧部で前記カム部の一方の谷部に当接することに伴い、前記カム部材を一方に回動させる方向へ揺動し、前記駆動ピンを介して前記ロックレバーを前記閉位置へ移動させると共に、
前記仮施錠ボタンの再度の押圧操作によって、前記仮施錠ボタンと一体に前記押込み位置側へ移動して前記押圧部で前記カム部の他方の谷部に当接することに伴い、前記カム部材を他方へ回動させる方向へ揺動し、前記駆動ピンを介して前記ロックレバーを前記開位置へ移動させ、
前記仮施錠ボタンが前記突出位置に復帰した際に前記カム部材の山部から離間し、且つ当該揺動部材と前記仮施錠ボタンとの間に掛け渡された揺動部材用付勢部材によって両揺動位置の間の中立位置に付勢されるように構成したことを特徴とする請求項１記載の錠前装置。
【請求項３】
前記キーロータ用ロック機構は、前記本体ケースに軸支された第１アームを備え、
前記第１アームの一端を、前記ロックレバーの基端部に設けられた当接部に当接可能に延設すると共に、前記第１アームの他端を、前記係合部材に係脱可能に延設し、
前記第１アームの一端を前記当接部側に付勢すると共に、その付勢力によって前記第１アームの他端を前記係合部材との係合を解除する方向へ付勢する第１付勢部材を設け、
前記第１付勢部材の付勢力によって、前記ロックレバーが前記開位置にある状態でのみ前記第１アームの他端が前記係合部材と係合して前記キーロータの回動操作を阻止するように構成したことを特徴とする請求項２記載の錠前装置。
【請求項４】
前記ロックレバーの裏側に設けられた内側開錠レバーを備え、
前記本施錠の状態において、前記内側開錠レバーの回動操作によって前記ロックレバーを前記閉位置から前記開位置に回動させることを可能する構成としたことを特徴とする請求項１乃至３の何れかに記載の錠前装置。
【請求項５】
前記カム機構は、
前記仮施錠ボタンの後部でピンにより揺動可能に軸支された揺動部材と、
この揺動部材における前記ロックレバー側の先端部に設けられた押圧部と、
前記押圧部に当接可能な山部及びその両側の谷部からなるカム部を有し、前記本体ケースに設けられたブラケットに、前記山部の後部で回動可能に軸支されたカム部材と、
このカム部材の前部に前記山部の突出方向に突設された駆動ピンと、
前記本体ケースに軸支され、前記駆動ピンに挿入される第１駆動溝を有すると共に、前記ロックレバーの基端部に形成された第２駆動溝に挿入する補助駆動ピンを有し、前記駆動ピンに連動することに伴い、前記補助駆動ピンが前記第２駆動溝に係合して前記ロックレバーを前記閉位置へ移動させるロック位置と前記ロックレバーを前記開位置とに移動させると解除位置との間で回動するカムロータとを備え、
前記揺動部材は、
前記仮施錠ボタンの押圧操作によって、前記仮施錠ボタンと一体に前記押込み位置側へ移動して前記押圧部で前記カム部の一方の谷部に当接することに伴い、前記カム部材を一方に回動させる方向へ揺動し、前記駆動ピンを介して前記カムロータを前記ロック位置へ移動させて前記ロックレバーを前記閉位置へ移動させると共に、
前記仮施錠ボタンの再度の押圧操作によって、前記仮施錠ボタンと一体に前記押込み位置側へ移動して前記押圧部で前記カム部の他方の谷部に当接することに伴い、前記カム部材を他方へ回動させる方向へ揺動し、前記駆動ピンを介して前記カムロータを前記解除位置へ移動させて前記ロックレバーを前記開位置へ移動させ、
前記仮施錠ボタンが前記突出位置に復帰した際に前記カム部材の山部から離間し、且つ当該揺動部材と前記仮施錠ボタンとの間に掛け渡された揺動部材用付勢部材によって両揺動位置の間の中立位置に付勢されるように構成したことを特徴とする請求項１記載の錠前装置。
【請求項６】
前記キーロータ用ロック機構は、前記本体ケースに軸支された第１アームを備え、
前記第１アームの一端を、前記カムロータに設けられた当接部に当接可能に延設すると共に、前記第１アームの他端を、前記係合部材に係脱可能に延設し、
前記第１アームの一端を前記当接部側に付勢すると共に、その付勢力によって前記第１アームの他端を前記係合部材との係合を解除する方向へ付勢する第１付勢部材を設け、
前記第１付勢部材の付勢力によって、前記カムロータが前記解除位置にある状態でのみ前記第１アームの他端が前記係合部材と係合して前記キーロータの回動操作を阻止するように構成したことを特徴とする請求項５記載の錠前装置。
【請求項７】
前記カムロータの裏側に設けられた内側開錠レバーを備え、
前記本施錠の状態において、前記内側開錠レバーの回動操作によって前記カムロータを前記ロック位置から解除位置に回動させることに伴い、前記補助駆動ピンを介して前記ロックレバーを前記閉位置から前記開位置に回動させることを可能する構成としたことを特徴とする請求項５又は６記載の錠前装置。
【請求項８】
前記ボタン用ロック機構は、前記本体ケースに軸支された第２アームを備え、
前記第２アームの一端を、前記係合部材に当接可能に延設すると共に、前記第２アームの他端を、前記仮施錠ボタンに係脱可能に延設し、
前記第２アームの一端を前記係合部材側に付勢すると共に、その付勢力によって前記第２アームの他端を前記仮施錠ボタンとの係合を解除する方向へ付勢する第２付勢部材を設け、
前記第２付勢部材の付勢力によって、前記本施錠の状態でのみ前記第２アームの他端が前記仮施錠ボタンと係合して前記仮施錠ボタンの押圧操作を阻止するように構成したことを特徴とする請求項１乃至７の何れかに記載の錠前装置。
【請求項９】
前記内側開錠レバーに、その回動中心軸と直交する方向へ延びる把持部を設け、
前記本体ケースの裏側に、前記ロックレバー、前記シリンダ錠、前記カム機構、前記キーロータ用ロック機構及び前記ボタン用ロック機構を収容し且つ前記内側解錠レバーの把持部を後方に露出させる容器状のカバーを設け、
前記カバーの側壁部に、前記ロックレバーの先端部を突出させる切欠部を形成し、
前記本体ケース及び前記カバーに、前記把持部の回動範囲に臨む採光用開口部を設けたことを特徴とする請求項４又は７記載の錠前装置。
【請求項１０】
前記内側開錠レバーは少なくともその表面部分が、光反射性または蓄光性を有する材料により構成されていることを特徴とする請求項４又は７記載の錠前装置。
【請求項１１】
互いに異なる２つの表示を有する表示部材を備え、
前記本体ケースに、前記ロックレバーの基端部に臨む窓部を形成し、
前記ロックレバーの基端部の前面側に、前記表示部材を前記２つの表示が前記ロックレバーの回動方向に連なるように固定して、前記ロックレバーの前記開位置及び閉位置にて前記２つの表示が前記窓部から択一的に出現するように構成したことを特徴とする請求項１乃至１０の何れかに記載の錠前装置。
【請求項１２】
互いに異なる２つの表示を有する表示部材を備え、
前記本体ケースに、前記カムロータに臨む窓部を形成し、
前記カムロータの前面側に、前記表示部材を前記２つの表示が前記カムロータの回動方向に連なるように固定して、前記カムロータの前記解除位置及びロック位置にて前記２つの表示が前記窓部から択一的に出現するように構成したことを特徴とする請求項５乃至１０の何れかに記載の錠前装置。
【請求項１３】
前記表示部材は少なくともその表面部分が、光反射性または蓄光性を有する材料により構成されていることを特徴とする請求項１１又は１２記載の錠前装置。
【発明の詳細な説明】
【技術分野】
【０００１】
本発明は、キーを用いずに施錠できる仮施錠機能とキーによる本施錠機能とを組み合せた錠前装置に関する。
【背景技術】
【０００２】
従来より、物置の引戸などに設けられる錠前装置において、キーによる本施錠と、キーを用いずに簡易的に施錠する所謂仮施錠とを行うことを可能としたものがある（例えば特許文献１参照）。この錠前装置は、引戸に取り付け固定される本体ケースと、当該本体ケースに配設された本施錠用のシリンダ錠と、本体ケースに上下方向へスライド可能に設けられた仮施錠用の摘み操作部材とを備えている。
【０００３】
仮施錠を行う場合、使用者は摘み操作部材を摘んで上側（解除位置側）から下側（仮施錠位置側）へスライドさせる。これにより、施錠片たるロックレバーが、戸枠の受け金具に係合して引戸の閉止状態を拘束する仮施錠の状態となる。
これに対し、本施錠を行う場合、使用者はキー挿入穴にキーを挿入してシリンダ錠の内筒（キーロータ）を開錠位置から施錠位置へ回動させる。これにより、キーロータに駆動部材を介して連動するロック片が、摘み操作部材の構成部品（第３回転係合片）に係合して摘み操作部材の解除位置側へのスライドを阻止する本施錠の状態となる。
【特許文献１】特開２００６−２３３７０８号公報
【発明の開示】
【発明が解決しようとする課題】
【０００４】
ところが、上記構成では、仮施錠やその解除を行う際、使用者は摘み操作部材を摘んで仮施錠位置側あるいは解除位置側へスライドさせる必要があるため、物置に出し入れする荷物を持ったまま仮施錠操作をできない場合がある等、操作性に劣る問題がある。
また、この錠前装置においては、シリンダ錠による本施錠に先立って、摘み操作部材による仮施錠を行う必要があるが、この仮施錠を経ることなくシリンダ錠で施錠してしまう惧れがある。即ち、使用者が仮施錠を失念する等して、摘み操作部材が解除位置側にある状態（つまりロックレバーによる引戸の閉止状態が解除された状態）で、シリンダ錠の施錠を行う誤操作が起き易いのである。
【０００５】
本発明は、上記事情に鑑みてなされたものであり、その目的は、キーを用いずに施錠できる仮施錠機能とキーによる本施錠機能とを組み合せたものにあって、操作性に優れると共に安全性を向上させた錠前装置を提供することにある。
【課題を解決するための手段】
【０００６】
上記の目的を達成するために本発明は、キーを用いずに施錠できる仮施錠機能とキーによる本施錠機能とを組み合せた錠前装置であって、
シリンダ錠取付部を有する本体ケースと、この本体ケースに基端部を軸支させ、当該本体ケースが取付けられた部材の相手部材に対して係止状態となる閉位置と退避状態となる開位置との間で回動するロックレバーと、前記本体ケースに突出位置と押込み位置との間で前後方向へ往復移動可能に設けられた一個の仮施錠ボタンと、前記仮施錠ボタンを前記突出位置側へ付勢するボタン用付勢部材と、前記ロックレバーと前記仮施錠ボタンとの間に設けられ、前記仮施錠ボタンの押圧操作に伴い前記ロックレバーを前記開位置から前記閉位置へ回動させ、前記仮施錠ボタンの再度の押圧操作に伴い前記ロックレバーを前記閉位置から前記開位置に回動させるプッシュ・プッシュ式のカム機構と、前記シリンダ錠取付部に取付けられ、キー挿入穴に挿入されるキーにより本施錠位置と解錠位置との間で回動操作されるキーロータを有するシリンダ錠と、前記キーロータと共に回動するように設けられた係合部材と、前記ロックレバー基端部の近傍部と前記シリンダ錠との間に位置させて、前記カム機構又は前記ロックレバーと連動するように設けられ、前記カム機構による前記ロックレバーの前記閉位置から前記開位置への回動に伴い前記係合部材に係合して前記キーロータの前記解錠位置から前記本施錠位置への回動操作を阻止し、前記カム機構による前記ロックレバーの前記開位置から前記閉位置への回動に伴い前記係合部材との係合を解除するキーロータ用ロック機構と、前記仮施錠ボタンと前記シリンダ錠との間に位置させて前記係合部材と連動するように設けられ、前記キーロータの前記解錠位置から前記本施錠位置への回動によって前記係合部材に連動することに伴い前記仮施錠ボタンに係合して前記仮施錠ボタンの押圧操作を阻止し、前記キーロータが前記本施錠位置から前記解錠位置へ回動されることに伴い前記仮施錠ボタンとの係合を解除して前記仮施錠ボタンの押圧操作を許容するボタン用ロック機構とを具備し、
前記キーロータの前記解錠位置から前記本施錠位置への回動操作による本施錠は、前記キーロータ用ロック機構によって、前記ロックレバーが前記開位置にある状態では阻止され、前記ロックレバーが前記閉位置にある状態では可能とされ、前記仮施錠ボタンの押圧操作は、前記ボタン用ロック機構によって、前記キーロータが前記本施錠位置にある状態では阻止され、前記キーロータが前記解錠位置にある状態では可能とする構成としたことを特徴とする。
【発明の効果】
【０００７】
本発明によれば、前記カム機構によって、仮施錠及びその解除を一個の仮施錠ボタンに対する押圧操作により行うことができ、仮施錠操作及び仮施錠の解除操作を極力簡単なものとすることができる。
また、本発明の錠前装置によれば、キーロータ用ロック機構によって、ロックレバーが開位置にある状態での本施錠を阻止することができるので、仮施錠の前に本施錠を行う誤操作を防止することができる。更に、ボタン用ロック機構によって、本施錠の状態での仮施錠ボタンの押圧操作を阻止することができ、総じて防犯面での安全性を高めることができる。
【発明を実施するための最良の形態】
【０００８】
＜第１実施形態＞
以下、本発明の第１実施形態について図１〜図１３を参照しながら説明する。図１（ａ）及び（ｂ）は本施錠の状態における錠前装置の正面図及び背面図を示し、図２は錠前装置の構成部品を分解した状態の斜視図を示している。また、図３及び図４は、図１（ａ）のＡ−Ａ線及びＢ−Ｂ線に沿う断面図を示している。尚、本実施例の錠前装置は、例えば物置の引戸に適用されるものとする。
【０００９】
錠前装置１の外殻は、前側（図２中、左側）が開放された矩形箱型容器状をなすカバー３と、その開放面を覆う本体ケース２とで構成されている。本体ケース２において、矩形板状をなす前壁部４には、中央部に仮施錠ボタン用開口部５が形成されている。この仮施錠ボタン用開口部５の縁部には、後方へ突出する内側リブ６が一体的に設けられており、内側リブ６の内側に、後述する仮施錠ボタン７が前後方向へ往復移動可能に設けられている。また、本体ケース２の前壁部４には、外周縁部に外側リブ８が設けられると共に、ほぼ四隅にボス部９ａ，９ｂ，９ｃ，９ｄが設けられている。
【００１０】
一方、カバー３の側壁部３ａには、後述するロックレバー１０を突出させるための「Ｌ」の字状の切欠部１１が形成されると共に、後壁部３ｂには、ほぼ四隅に位置してネジ用孔部１２ａ，１２ｂ，１２ｃ，１２ｄが形成されている。
【００１１】
図３、図４に示すように、錠前装置１は、物置の引戸１３の取付孔部１３ａに対し、本体ケース２の外側リブ８を前側（物置の外側）から挿入し、カバー３の側壁部３ａを後側（物置の内部空間側）から嵌合させてある。この状態で、カバー３のネジ用孔部１２ａ〜１２ｄに夫々挿通されたネジ１４が、本体ケース２のボス部９ａ〜９ｄに螺挿されることにより、錠前装置１が引戸１３に取り付け固定されている。
【００１２】
本体ケース２の前壁部４の裏面には、上部の中央に位置して段付状の軸部１５が設けられており、この軸部１５の段部１５ａ部分（図２、図３参照）に、ロックレバー１０が回動可能に設けられている。ロックレバー１０は、カバー３の切欠部１１から突出するように延設されており、長尺板状をなすロックレバー本体１０ａと、その先端側の鎌状のフック部１０ｂと、基端側の円板状の基端部１０ｃとを一体に備えている。ロックレバー１０は、基端部１０ｃに形成された中央孔１６に軸部１５が挿通されることにより、引戸１３の相手側の部材（例えば物置本体）に対して係止状態となる閉位置（図１参照）と退避状態となる開位置（同図二点鎖線参照）との間で回動するようになっている。尚、ロックレバー本体１０ａには、ロックレバー１０の回動範囲（例えば９０度）を確保すべく、前記ボス部９ａの外周に沿う円弧状の逃し部１７（図１１参照）が形成されている。
【００１３】
図６に示すように、ロックレバー１０の基端部１０ｃには、中央孔１６の周りに複数の小孔１８ａ，１８ｂ，１８ｃ，１８ｄ，１９ａ，１９ｂ，２０ａ，２０ｂが形成されている。これら小孔１８ａ〜２０ｂのうち、小孔１８ａ〜１８ｄには、前側（図６中、上側）から表示部材２１，２２が装着されている。
【００１４】
表示部材２１，２２は、蓄光性物質を含有し且つ互いに異なる２つの色（例えば赤色と青色）の可撓性を有する合成樹脂材料（例えばＡＢＳ）からなり、正面視にて扇状に形成されている。赤色の表示部材２１は、一対の角状の脚部２１ａ、２１ａを一体的に有し、これら脚部２１ａ、２１ａが小孔１８ａ，１８ｂに嵌り込むことでロックレバー１０に固定されている。同様に、青色の表示部材２２は、脚部２２ａ、２２ａを一体的に有し、これら脚部２２ａ、２２ａが小孔１８ｃ，１８ｄに嵌り込むことでロックレバー１０に固定されている。これにより、表示部材２１，２２がロックレバー１０の回動方向（図６中、矢印Ｅ１，Ｅ２方向参照）に連なるように配置されている。
【００１５】
一方、本体ケース２の前壁部４には、軸部１５の下側に位置してロックレバー１０の基端部１０ｃに臨む窓部（以下、仮施錠表示用窓部２３と称す）が設けられている。この仮施錠表示用窓部２３は矩形状をなし、ロックレバー１０の閉位置で赤色の表示部材２１（図１（ａ）、図３、図９（ａ）参照）が出現し、開位置で青色の表示部材２２（図５、図８（ａ）参照）が出現するように形成されている。尚、本体ケース２の裏側には、仮施錠表示用窓部２３を覆う板状の透光性部材２３ａ（図３参照）が配置されている。透光性部材２３ａは、透明樹脂材料（例えばＰＣ）からなり、仮施錠表示用窓部２３から錠前装置１内（物置内）へ雨水等が浸入しないよう本体ケース２に対し水密に取り付けられている。
【００１６】
ロックレバー１０の基端部１０ｃにおいて、小孔１９ａ，１９ｂは、互いに中央孔１６の周りに９０度の間隔を隔てて形成されており、本体ケース２の前壁部４には、小孔１９ａ，１９ｂに対応する節度付与手段２４が設けられている。節度付与手段２４は、前記軸部１５の直ぐ上側に設けられた筒状の収容部２４ａと、この収容部２４ａに収容された圧縮コイルばね２４ｂ（図３参照）及びボール２４ｃとからなり、一方の小孔１９ｂの周縁部にボール２４ｃが前側から嵌合する（図３参照）ことでロックレバー１０を閉位置に保持し、他方の小孔１９ａの周縁部にボール２４ｃが前側から嵌合する（図５参照）ことでロックレバー１０を開位置に保持するように構成されている。また、ロックレバー１０の回動の際、小孔１９ａ、１９ｂの周縁部にボール２４ｃが嵌合するときに、使用者（ユーザ）に節度感が与えられる。
【００１７】
図６に示すように、ロックレバー１０の基端部１０ｃの外周部には、径方向外側に突出する枠状の当接部２５が形成されている。当接部２５の中心部には、径方向に延びる駆動溝２６が形成されており、この駆動溝２６に、後述するカム機構２７の駆動ピン２８が係合するようになっている。
【００１８】
本体ケース２において、内側リブ６の後端部には、仮施錠ボタン用開口部５を後方から覆う矩形板状の隔壁部２９が配置されている。隔壁部２９には、図２に示すような４つの貫通孔３０が形成されると共に、外周縁部に張り出す４つの取付孔部３１が形成されている。隔壁部２９は、取付孔部３１に挿通されたネジ３２が、内側リブ６の外周部に形成された固定部３３に螺挿されることにより本体ケース２に固定されている。
【００１９】
内側リブ６の内側には、一個の仮施錠ボタン７が配置されている。仮施錠ボタン７は、後側が開放された箱型容器状をなすボタン本体３４と、このボタン本体３４の後端部に配置された作動板３５とからなる。図２に示すように、ボタン本体３４は、中央部に突設されたばね収容部３６と、隔壁部２９の貫通孔３０を貫通する４つの支柱部３７とを一体に有して構成されている。ボタン本体３４の後端部には、内側リブ６の内周面に摺接する鍔部３４ａが全周に亙って形成されており、ボタン本体３４は、鍔部３４ａにおいて仮施錠ボタン用開口部５の縁部５ａ（図３参照）に係止されている。
【００２０】
図２に示すように、作動板３５には、支柱部３７に対応する４つの孔部３８が形成されていると共に、下端部に「Ｌ」の字状のばね掛部３９が設けられている。仮施錠ボタン７は、作動板３５の孔部３８に挿通されたネジ４０がボタン本体３４の支柱部３７に螺挿されることで、本体ケース２に組み付けられている。これにより、仮施錠ボタン７は、ボタン本体３４の前面３４ｂが本体ケース２の前壁部４から突出する突出位置（図３、図４参照）と、前面３４ｂが本体ケース２の前壁部４の前面４ａとほぼ面一となる押込み位置（図５参照）との間で前後方向へ往復移動可能に配設されている。
【００２１】
図３〜図５に示すように、ボタン本体３４と隔壁部２９との間には、圧縮コイルばね（ボタン用付勢部材）４１が設けられている。圧縮コイルばね４１は、前部がばね収容部３６に収容されると共に、後部が作動板３５の中央凸部４２に保持さており、仮施錠ボタン７を突出位置側へ付勢する。
【００２２】
仮施錠ボタン７とロックレバー１０の基端部１０ｃとの間には、カム機構２７が配置されている。このカム機構２７は、仮施錠ボタン７の押圧操作に伴いロックレバー１０を開位置から閉位置へ回動させ、仮施錠ボタン７の再度の押圧操作に伴いロックレバー１０を閉位置から開位置へ回動させる所謂プッシュ・プッシュ式のものであり、以下のように構成されている。
【００２３】
即ち、カム機構２７は、仮施錠ボタン７の裏側に配置された幅狭な板状の揺動部材４３を備えている。この揺動部材４３は、作動板３５の中央部に設けられた前後方向を指向するピン４４により揺動可能に支持されている。揺動部材４３には、図２中、下側の先端部に位置して「Ｌ」の字状のばね掛部４５が形成されている。このばね掛部４５と、仮施錠ボタン７の作動板３５のばね掛部３９との間には、引張りコイルばね（揺動部材用付勢部材）４６が掛け渡されている。揺動部材４３は、引張りコイルばね４６によって、縦向きとなる中立位置（図７参照）に付勢されている。
【００２４】
揺動部材４３の上側（つまりロックレバー１０側）の先端部には、押圧部４７が設けられている。押圧部４７は、例えば頂点を後方に向けた四角錐状（ピラミッド形）の角錐部４７ａと、この角錐部４７ａの上部に突設されたガイドピン４７ｂ（図２、図３参照）とを一体に有して構成されている。
【００２５】
本体ケース２の前壁部４には、前記軸部１５の直ぐ下側に位置して、ブラケット４８が配置されている。図２に示すように、ブラケット４８の中央部には、押圧部４７のガイドピン４７ｂに挿通される「へ」の字状のガイド溝４９が形成されており、このガイド溝４９の後側に支持ピン５０が取着されている。また、ブラケット４８は、前端部における上向きの取付片部４８ａ，４８ａと、後端部における下向きの係止片部４８ｂ，４８ｂとを一体に有して構成されている。このブラケット４８は、取付片部４８ａを貫通するネジ５１が、軸部１５の左右両側のボス部５２（図２参照）に螺挿されることにより、本体ケース２に固定されている。尚、ブラケット４８の前側（図６では上側）には、ロックレバー１０用の切欠部５３が形成されている。
【００２６】
ブラケット４８の下側には、扇状のカム部材５４が配置されている。図６に示すように、カム部材５４には、押圧部４７の角錐部４７ａに当接可能な山部５５ａ及びその両側の谷部５５ｂ、５５ｃからなるカム部が、カム部材５４内部を切り欠くようにして形成されている。また、カム部材５４の外周部には、ロックレバー１０の駆動溝２６に挿入される駆動ピン２８が、山部５５ａの突出方向へ突設されている。このカム部材５４は、支持ピン５０により山部５５ａの後部で回動可能に支持されている。上記した揺動部材４３、引張りコイルばね４６、押圧部４７、ブラケット４８、カム部材５４、駆動ピン２８等は本発明のカム機構２７に相当する。
【００２７】
そして、揺動部材４３は、仮施錠ボタン７の押圧操作時に、押圧部４７の角錐部４７ａがカム部材５４に当接すると共に、押圧部４７のガイドピン４７ｂがブラケット４８のガイド溝４９にガイドされることにより、固定側たるブラケット４８（ひいては本体ケース２）に対し相対的に左右に揺動するようになっている。詳細には、揺動部材４３は、仮施錠ボタン７の押圧操作によって、仮施錠ボタン７の作動板３５と一体に押込み位置側へ移動して押圧部４７の角錐部４７ａでカム部材５４の一方の谷部５５ｂに当接することに伴い、カム部材５４を一方に回動させる方向（図８中、矢印Ａ１方向）へ揺動し、駆動ピン２８を介してロックレバー１０を閉位置へ移動させる。
【００２８】
また、揺動部材４３は、仮施錠ボタン７の再度の押圧操作によって、作動板３５と一体に押込み位置側へ移動して角錐部４７ａでカム部材５４の他方の谷部５５ｃに当接することに伴い、カム部材５４を他方へ回動させる方向（図９中、矢印Ａ２方向）へ揺動し、駆動ピン２８を介してロックレバー１０を開位置へ移動させる。更に、揺動部材４３は、仮施錠ボタン７が圧縮コイルばね４１の付勢力により突出位置に復帰した際に、押圧部４７がカム部材５４の山部５５ａから離間し、且つ引張りコイルばね４６の付勢力によって両揺動位置の間の中立位置に復帰する。
【００２９】
本体ケース２の前壁部４には、仮施錠ボタン用開口部５の下側に位置してシリンダ錠取付部５６（図２参照）が設けられている。シリンダ錠取付部５６は、本体ケース２の前壁部４裏面に形成されたほぼ円形の位置決め凹部５７と、左右一対のボス部５８とからなる。また、図１（ａ）、図３に示すように、本体ケース２の前壁部４には、位置決め凹部５７の中心部に位置して円形のシリンダ錠用開口部５９が形成されると共に、この開口部５９の上側縁部に窓部（以下、本施錠表示用窓部５９ａと称す）が形成されている。
【００３０】
シリンダ錠取付部５６には、シリンダ錠６０が配置されている。シリンダ錠６０は、軸方向に延びるキー挿入穴６１ａ（図５参照）を有するキーロータ６１と、このキーロータ６１を回転可能に収容するロータケース６２とを備えている。
【００３１】
ロータケース６２は、ほぼ筒状をなし、前端部に位置決め凹部５７と嵌合するフランジ収容部６４が設けられると共に、外周部に一対の取付孔部６５が設けられている。ロータケース６２の内周部には、軸方向に延びるタンブラ係合溝６３（図２、図３参照）が、十字状配置となる４箇所に（つまり９０度間隔で）形成されている。このロータケース６２は、取付孔部６５に挿通したネジ６６を、シリンダ錠取付部５６のボス部５８に螺挿させることにより本体ケース２に取り付けられている。尚、図示は省略するが、フランジ収容部６４の内部には、キーロータ６１を所定の回動範囲（例えば９０度）に規制するための係止片が設けられている。
【００３２】
キーロータ６１は、略円柱状をなすロータ本体６７と、このロータ本体６７の前端部に形成されたフランジ６８と、ロータ本体６７の後端部に形成された嵌合部６９とを一体に有して構成されている。フランジ６８の後面側には、ほぼ半周に亘って段部６８ａ（図２にのみ図示）が形成されている。この段部６８ａとフランジ収容部６４の係止片とが係合することにより、キーロータ６１の回動範囲が、施錠位置（図３、図１２参照）と解錠位置と（図５、図１０参照）との間の９０度に規制されるようになっている。
【００３３】
シリンダ錠用開口部５９に臨むフランジ６８の前面側には、シリンダ錠６０用の表示部材７０ａ，７０ｂ（図２参照）が設けられている。表示部材７０ａ，７０ｂは、蓄光性物質を含有する互いに異なる２つの色（例えば赤色と青色）の合成樹脂材料（例えばＡＢＳ）からなり、フランジ６８の前面外周部に形成された取付凹部（図示せず）に、キーロータ６１の回動方向へ連なるように配置されている。これにより、本施錠表示用窓部５９ａには、キーロータ６１の施錠位置で赤色の表示部材７０ａ（図１（ａ）、図３参照）が出現し、解錠位置で青色の表示部材７０ｂ（図５参照）が出現するようになっている。
【００３４】
尚、図２に示すように、フランジ６８には、前端部にシャッタ７１を配した状態で、前側からキャップ７２が装着される。キャップ７２には、表示部材７０ａ，７０ｂを覗かせる切欠部７２ａ，７２ｂが形成されると共に、キー挿入穴６１ａに連通するキー挿入口７２ｃ（図１（ａ）参照）が形成されている。シャッタ７１は、図示しないばねによりキー挿入口７２ｃを閉塞する方向へ付勢されると共にキー挿入口７２ｃへの正規のキーＫ（図３参照）の挿入を許容するように構成されており、シリンダ錠６０内に雨水や埃などが浸入しないようになっている。
【００３５】
ロータ本体６７には、径方向に貫通するタンブラ配置溝７３が、ロータ本体６７の軸方向に列をなすように複数個形成されると共に、各タンブラ配置溝７３に板状のタンブラ７４が移動可能に挿入されている。各タンブラ７４は、図示しないばねにより径方向の外側へ付勢されている。
【００３６】
図２に示すように、嵌合部６９は、軸方向から見て小判形に形成されており、この基端部に突出部６９ａが設けられている。
上記キーロータ６１には、板状のロックプレート（係合部材）７５が設けられている。ロックプレート７５は、一方（図２中、下方）が円弧状をなし、他方（同図、上方）が前方に折曲した形状をなしており、その折曲した部分の側面に切欠部７５ｂが形成されている。また、ロックプレート７５の中央部には、キーロータ６１の嵌合部６９に対応する嵌合孔７５ａが形成されており、この嵌合孔７５ａに対し、当該嵌合部６９の突出部６９ａが挿通されて嵌合している。従って、ロックプレート７５はキーロータ６１と一体的に回転し、ロックプレート７５の切欠部７５ｂが、キーロータ６１の施錠位置で右側（図１２では左側）に位置し、解錠位置で左側（図１０では右側）に位置するようになっている。尚、キーロータ６１の嵌合部６９には、ロックプレート７５の後側に位置して「Ｃ」の字状の止め輪７５ｃが装着されることによりロックプレート７５が抜け止めされている。
【００３７】
さて、錠前装置１は、キーロータ６１用のロック機構（以下、キーロータ用ロック機構７６と称す）と、仮施錠ボタン７用のロック機構（以下、ボタン用ロック機構７７と称す）とを備えて構成されている。これらキーロータ用ロック機構７６及びボタン用ロック機構７７について、図７も参照しながら説明する。図７は、組付け時における錠前装置１の後方からの斜視図を示している。
【００３８】
図７に示すように、キーロータ用ロック機構７６は、ロックレバー１０とシリンダ錠６０との間に配置された逆「く」の字状の第１アーム８０を備えている。この第１アーム８０は、本体ケース２の内側リブ６の左側（図２中、右側）に配設された第１軸部７８に、その中央部で回動自在に支持されている。また、第１アーム８０は、中央部を貫通するネジ７８ａが第１軸部７８に螺挿されることにより、軸方向への移動が不能に係止されている（図４参照）。第１アーム８０の上端部には、ロックレバー１０の当接部２５に当接可能なクランク状の上側延出部８０ａ（図２参照）が延設されると共に、第１アーム８０の下端部には、ロックプレート７５の切欠部７５ｂに係脱可能な下側角部８０ｂが延設されている。
【００３９】
第１軸部７８には、第１アーム８０を図１０中、矢印Ｂ１方向へ付勢するねじりコイルばね（第１付勢部材）８１が外装されている。そして、第１アーム８０は、ロックレバー１０が閉位置から開位置へ回動されることに伴い、上側延出部８０ａがロックレバー１０の当接部２５に当接して矢印Ｂ２方向へ傾くように押圧されると共に、下側角部８０ｂがロックプレート７５の切欠部７５ｂに係合して、キーロータ６１の解錠位置から本施錠位置への回動を阻止するように構成されている。また、第１アーム８０は、ロックレバー１０が開位置から閉位置へ回動されることに伴い、ねじりコイルばね８１の付勢力によって矢印Ｂ１方向へ傾いて、下側角部８０ｂと切欠部７５ｂとの係合を解除する。尚、カバー３の後壁部３ｂには、第１アーム８０の後面を支持する受け部８２（図２、図５参照）が設けられている。
【００４０】
一方、ボタン用ロック機構７７は、仮施錠ボタン７とシリンダ錠６０との間に配置されたクランク状の第２アーム８３を備えている。この第２アーム８３は、本体ケース２の内側リブ６の右側（図２中、左側）に配設された第２軸部７９に、その中央部で回動自在に支持されている。また、第２アーム８３は、中央部を貫通するネジ７９ａが第２軸部７９に螺挿されることにより、軸方向への移動が不能に係止されている。第２アーム８３の上端部には、仮施錠ボタン７に係脱可能な前向きの上側延出部８４が延設されている。詳細には、図４、図７に示すように、上側延出部８４は、内側リブ６に形成された切欠部６ａから内側リブ６の内方へ進退可能で、且つボタン本体３４の鍔部３４ａに後方から係脱するように形成されている。第２アーム８３の下端部には、ロックプレート７５の切欠部７５ｂに当接可能な後向きの下側延出部８５が延設されている。
【００４１】
第２軸部７９には、第２アーム８３を図１０中、矢印Ｃ１方向へ付勢するねじりコイルばね（第２付勢部材）８６が外装されている。そして、第２アーム８３は、キーロータ６１が解錠位置から本施錠位置へ回動されることに伴い、下側延出部８５がロックプレート７５の切欠部７５ｂに当接して矢印Ｃ２方向（図１１参照）へ傾くように押圧されると共に、上側延出部８４がボタン本体３４の鍔部３４ａに係合して、仮施錠ボタン７の押圧操作を阻止するように構成されている。また、第２アーム８３は、キーロータ６１が本施錠位置から解錠位置へ回動されることに伴い、ねじりコイルばね８６の付勢力によって矢印Ｃ１方向へ傾いて、上側延出部８４と鍔部３４ａとの係合を解除する。尚、カバー３の後壁部３ｂには、第２アーム８３の後面を支持する受け部８７（図２、図４参照）が設けられている。この受け部８７は、第２アーム８３の上側延出部８４とボタン本体３４の鍔部３４ａとが係合した際、仮施錠ボタン７の押圧操作を確実に阻止するように第２アーム８３を保持する。
【００４２】
本体ケース２の軸部１５には、ロックレバー１０の裏側に位置して筒状の接続部材８９が配置されている。接続部材８９は、ロックレバー１０の回動中心軸Ｏ１（図１（ｂ）、図３参照）に沿って後方へ延びており、その後端部が、カバー３の後壁部３ｂに形成された露出孔９０から露出している。接続部材８９の内周部には、図３に示すような段部８９ａが形成されている。この接続部材８９は、後方から挿通されたネジ９１が軸部１５に螺挿されることにより、ネジ９１の頭部が段部８９ａに係合して軸方向への移動が不能に係止されている。また、接続部材８９は、前端部にロックレバー１０の小孔２０ａ，２０ｂと嵌合する凸部８９ｂ、８９ｂ（図７参照）が形成されており、ロックレバー１０と一体に回動するようになっている。図２、図７に示すように、接続部材８９の後端部はフランジ状をなし、その外周部には、径方向内側へ窪む一対の取付凹部９２ａが形成されると共に、接続部材８９の後端面には、軸方向へ凹む一対の取付穴９２ｂが形成されている。
【００４３】
接続部材８９の後端部には、カバー３の後壁部３ｂの後側（つまり物置の内部空間側）に位置して、内側開錠レバー本体９３が配置されている。内側開錠レバー本体９３は、蓄光性物質を含有する合成樹脂材料からなり、接続部材８９の後端部を覆う円形の皿状部９４と、前記回動中心軸Ｏ１に対して直交する方向へ延びる把持部９５とを一体に備えて構成されている。皿状部９４の外周部には、一対の爪部９４ａ（図５参照）と一対の凸部９４ｂ（図３参照）が形成されている。内側開錠レバー本体９３は、接続部材８９の取付凹部９２ａに爪部９４ａが嵌り込み且つ接続部材８９の取付穴９２ｂに凸部９４ｂが嵌合することにより、接続部材８９ひいてはロックレバー１０と一体的に回動するようになっている。これら内側開錠レバー本体９３及び接続部材８９は、本発明の内側開錠レバー８８を構成する。尚、把持部９５は、前後方向から見て（図１参照）、仮施錠ボタン７を跨いだ９０度の範囲で回動操作されるように延設されている。
【００４４】
図１に示すように、本体ケース２の前壁部４上部には、左右両側に位置して把持部９５の回動範囲に臨む複数のスリット孔からなる採光用開口部９６，９６が形成されている。本体ケース２の裏側には、採光用開口部９６を覆う矩形板状の透光性部材９７（図８（ａ）、図１２参照）が配置されている。透光性部材９７は、透明樹脂材料（例えばＰＣ）から構成されていると共に、採光用開口部９６から錠前装置１内（物置内）へ雨水等が浸入しないよう本体ケース２に対し水密に取り付けられている。また、カバー３の後壁部３ｂには、採光用開口部９６，９６に対向する位置に、夫々複数のスリット孔からなる採光用開口部９８，９８が形成されている。
【００４５】
次に、以上のように構成された錠前装置１の作用について、図８〜図１３も参照しながら説明する。ここで、図１０は解錠の状態、図１１は仮施錠の状態、図１２は本施錠の状態を示している。また、図８は解錠の状態から仮施錠の状態へ移行する途中の状態、図９は仮施錠の状態から解錠の状態へ移行する途中の状態を、夫々図１のＣ−Ｃ線に沿う横断面図で示している。尚、図８〜図１３ではカバー３が省略されている。
【００４６】
まず、解錠の状態では、図８（ａ）、図１０に示すように、ロックレバー１０は、仮施錠表示用窓部２３から青色の表示部材２２が覗く上向きの開位置にあり、当該開位置にて節度付与手段２４（図５参照）により保持されている。この状態では、ロックレバー１０が引戸１３の相手側の部材、この場合図示しない物置本体に対して係止が外れており、引戸１３を自由に開閉することができる。また、仮施錠ボタン７が押圧操作されていないとき、揺動部材４３は、図１０に実線で示すような縦向きの中立位置にあり、揺動部材４３の押圧部４７がカム部材５４の山部５５ａから離間し（図８（ａ）参照）、且つ扇状のカム部材５４が左側に傾いた状態にある。一方、キーロータ６１は、本施錠表示用窓部５９ａから青色の表示部材７０ｂが覗く解錠位置にあり（図５参照）、キー挿入穴６１ａに何も挿入されていないとき、各タンブラ７４がタンブラ配置溝７３からロータケース６２のタンブラ係合溝６３内に突出した状態となっている。そして、第１アーム８０は、上側延出部８０ａがロックレバー１０の当接部２５と当接し、下側角部８０ｂがロックプレート７５の切欠部７５ｂに係合した状態となっている（図１０参照）。従って、この解錠の状態では、キー挿入穴６１ａにキーＫが挿入されても、第１アーム８０によって、キーロータ６１の解錠位置から本施錠位置への回動操作による本施錠が阻止される。他方、第２アーム８３は、上側延出部８４とボタン本体３４の鍔部３４ａとの係合が解除された位置にある。
【００４７】
この解錠の状態において、使用者が、仮施錠ボタン７を圧縮コイルばね４１の付勢力に抗して押込み位置側（図３中、矢印Ｄ１方向）へ押圧操作すると、揺動部材４３は、仮施錠ボタン７の作動板３５と一体に押込み位置側へ移動して、押圧部４７でカム部材５４の一方の谷部５５ｂに当接することに伴い、カム部材５４を右側に傾けるように揺動する。詳細には、図８に示すように、揺動部材４３は、仮施錠ボタン７（二点鎖線で示す）の押圧操作に伴い、押圧部４７の角錐部４７ａにおいて、山部５５ａの側部に当接し（同図（ｂ）参照）、当該側部に摺接しながら右側（矢印Ａ１方向）へ移動して谷部５５ｂに係合した後（同図（ｃ）参照）、カム部材５４と共に右側に傾きながら押圧方向へ移動する（同図（ｄ）参照）。
【００４８】
この揺動部材４３の矢印Ａ１方向への揺動に伴い、カム部材５４が同方向に傾き駆動ピン２８を介して、ロックレバー１０を図１０中、矢印Ｅ１方向へ回動させる。そして、図１１に示すように、揺動部材４３が中立位置から二点鎖線で示す位置まで揺動すると、ロックレバー１０は、開位置から閉位置まで９０度回動した横向きの状態となる。このとき、ロックレバー１０のフック部１０ｂが物置本体に対して係止すると共に、ロックレバー１０の基端部１０ｃが節度付与手段２４によって閉位置で保持され、仮施錠表示用窓部２３（図８（ｄ）参照）から赤色の表示部材２１が覗く仮施錠の状態となる。また、ロックレバー１０の開位置から閉位置への回動に伴い、第１アーム８０が、ねじりコイルばね８１の付勢力により図１１中、矢印Ｂ１方向へ傾いて、下側角部８０ｂとロックプレート７５の切欠部７５ｂとの係合を解除することにより、キーロータ６１の回動操作を許容する。
【００４９】
尚、仮施錠ボタン７を図８（ｄ）に示す押込み位置まで押圧した後、その押圧操作力を解除すると、ロックレバー１０の閉位置が維持された状態で、圧縮コイルばね４１の付勢力により仮施錠ボタン７が突出位置へ復帰すると共に、揺動部材４３の押圧部４７がカム部材５４の山部５５ａから離間し、且つ引張りコイルばね４６の付勢力によって揺動部材４３が中立位置に復帰する（図９（ａ）参照）。
【００５０】
図９（ａ）、図１１に示す仮施錠の状態にあっては、引戸１３は、ロックレバー１０によりその閉止状態が拘束されている。この仮施錠の状態において、仮施錠ボタン７が再度、押圧操作されると解錠の状態に移行する。
【００５１】
即ち、仮施錠の状態から再度、仮施錠ボタン７が矢印Ｄ１方向へ押圧操作されると、揺動部材４３は、仮施錠ボタン７と一体に押込み位置側へ移動する。この場合、図９に示すように、揺動部材４３は、仮施錠ボタン７の押圧操作に伴い、押圧部４７の角錐部４７ａにおいて、山部５５ａの側部に当接し（同図（ｂ）参照）、当該側部に摺接しながら左側（矢印Ａ２方向）へ移動して谷部５５ｃに係合した後（同図（ｃ）参照）、カム部材５４と共に左側に傾きながら押圧方向へ移動する（同図（ｄ）参照）。
【００５２】
この揺動部材４３の矢印Ａ２方向への揺動に伴い、カム部材５４が同方向に傾き駆動ピン２８を介して、ロックレバー１０を図１１中、矢印Ｅ２方向へ回動させる。そして、図１０に示すように、揺動部材４３が中立位置から二点鎖線で示す位置まで揺動すると、ロックレバー１０は、閉位置から開位置まで９０度回動した縦向きの状態となる。このとき、ロックレバー１０のフック部１０ｂが物置本体に対して退避すると共に、ロックレバー１０の基端部１０ｃが節度付与手段２４によって開位置で保持され、仮施錠表示用窓部２３（図９（ｄ）参照）から青色の表示部材２２が覗く解錠の状態となる。また、ロックレバー１０の閉位置から開位置への回動に伴い、第１アーム８０は、上側延出部８０ａがロックレバー１０の当接部２５に当接して矢印Ｂ２方向へ傾くように押圧されると共に、下側角部８０ｂがロックプレート７５の切欠部７５ｂに係合することで、キーロータ６１の解錠位置から本施錠位置への回動操作が阻止される。
【００５３】
尚、仮施錠ボタン７を図９（ｄ）に示す押込み位置まで押圧した後、その押圧操作力を解除すると、ロックレバー１０の開位置が維持された状態で、圧縮コイルばね４１の付勢力により仮施錠ボタン７が突出位置へ復帰すると共に、揺動部材４３の押圧部４７がカム部材５４の山部５５ａから離間し、且つ引張りコイルばね４６の付勢力によって揺動部材４３が中立位置に復帰する（図８（ａ）参照）。
【００５４】
次に、正規のキーＫを用いた本施錠について説明する。この本施錠は、前述のように解錠の状態では第１アーム８０によって阻止されるため、図９（ａ）及び図１１に示す仮施錠の状態において行われる。
【００５５】
キー挿入穴６１ａにキーＫが挿入されると、そのキーＫにより各タンブラ７４が前記ばねの付勢力に抗してタンブラ配置溝７３内に収容されるように移動される。この状態では、キーロータ６１の回転が可能となっており、キーＫの回動操作によって、キーロータ６１がロックプレート７５と共に解錠位置から施錠位置へ（図１１中、矢印Ｆ１方向へ）回動される。このキーロータ６１の回動の際、第２アーム８３は、下側延出部８５がロックプレート７５の切欠部７５ｂに当接して矢印Ｃ２方向へ傾くように押圧されると共に、上側延出部８４がボタン本体３４の鍔部３４ａに係合する（図４、図７、図１２参照）。これにより、仮施錠ボタン７が第２アーム８３によって突出位置で保持され、仮施錠表示用窓部２３から赤色の表示部材２１が覗くと共に本施錠表示用窓部５９ａから赤色の表示部材７０ａが覗く本施錠の状態となる（図１参照）。
【００５６】
図１、図３、図１２は、上記の本施錠の後、キー挿入穴６１ａからキーＫを引き抜いた状態を示しており、キーロータ６１は、各タンブラ７４（図３参照）がロータケース６２のタンブラ係合溝６３内に突出しており、解錠位置への回動が規制された状態となっている。また、引戸１３はロックレバー１０によりその閉止状態が拘束されていると共に、仮施錠ボタン７は、第２アーム８３によって押圧操作が阻止されている。この本施錠の状態を解除して引戸１３を開くには、キーＫを用いた通常の操作による場合と、キーＫを用いずに内側開錠レバー８８を操作する場合との２つの方法がある。
【００５７】
先ず、キーＫを用いた外側からの通常の解除方法について説明する。キーロータ６１に対し、キー挿入穴６１ａにキーＫが挿入されると、そのキーＫにより各タンブラ７４がタンブラ配置溝７３内に収容されるように移動される。そして、キーＫの回動操作によって、キーロータ６１がロックプレート７５と共に本施錠位置から解錠位置へ（図１２中、矢印Ｆ２方向へ）回動される。このキーロータ６１の回動に伴い、第２アーム８３が、ねじりコイルばね８６の付勢力によって矢印Ｃ１方向へ傾いて、上側延出部８４と鍔部３４ａとの係合を解除する（図１１参照）。これにより、仮施錠ボタン７の押圧操作が許容され、仮施錠表示用窓部２３から赤色の表示部材２１が覗くと共に本施錠表示用窓部５９ａから青色の表示部材７０ｂが覗く前記の仮施錠の状態になる。従って、使用者は、この仮施錠の状態から仮施錠ボタン７の押圧操作を行うことにより、解錠の状態へ移行させて（つまり物置本体に対するロックレバー１０の係止を外して）、引戸１３を自由に開閉することができる。
【００５８】
次に、内側開錠レバー８８による本施錠の状態の解除方法について説明する。図１（ｂ）に示すように、本施錠の状態では、内側開錠レバー本体９３の把持部９５は、一方の採光用開口部９８と前後方向に重なる位置にある。物置の内部空間側から、この把持部９５が、図１（ｂ）中、矢印Ｅ２方向へ回動操作されると、ロックレバー１０が同方向へ一体的に回動する。このロックレバー１０の回動の際、駆動ピン２８を介してカム部材５４が右側（図９（ａ）参照）から左側（図８（ａ）参照）へ、揺動部材４３の押圧部４７と離間した非接触状態で移動する。そして、把持部９５が、図１３に示す位置まで回動操作されると、ロックレバー１０が開位置まで回動された上向きの状態となる。このとき、ロックレバー１０が節度付与手段２４により開位置で保持されると共に、ロックレバー１０の物置本体に対する係止が外れるため、物置の引戸１３を内部空間側から開けることができる。尚、内側開錠レバー８８によって本施錠の状態を解除した場合、キーＫの回動操作によって、キーロータ６１を本施錠位置から解錠位置へ（図１３中、矢印Ｆ２方向へ）回動させることで、前記の解錠の状態（図１０参照）に移行する。
【００５９】
上記した内側開錠レバー８８によれば、本施錠の状態の解除だけでなく、仮施錠の状態の解除も行うことができる。つまり、図１１に示す仮施錠の状態において、物置の内部空間側から、内側開錠レバー本体９３の把持部９５を矢印Ｅ２方向へ回動操作すると、ロックレバー１０が同方向へ一体的に回動されて上向きの状態となり（図１０参照）、ロックレバー１０の物置本体に対する係止が外れるため、物置の引戸１３を内部空間側から開けることができる。
【００６０】
以上説明したように、カム機構２７は、仮施錠ボタン７の押圧操作に伴いロックレバー１０を開位置から閉位置へ回動させ、仮施錠ボタン７の再度の押圧操作に伴いロックレバー１０を閉位置から開位置へ回動させるように構成されている。従って、解錠の状態と仮施錠の状態との間の移行を一個の仮施錠ボタン７に対する押圧操作により行うことができ、仮施錠操作及び仮施錠の解除操作を極力簡単なものとすることができる。
【００６１】
キーロータ用ロック機構７６の第１アーム８０は、ロックレバー１０の開位置でロックプレート７５に係合してキーロータ６１の解錠位置から本施錠位置への回動を阻止し、ロックレバー１０の閉位置でロックプレート７５との係合を解除するように構成されている。これにより、解錠の状態におけるキーＫを用いた本施錠操作を阻止し、仮施錠の状態でのみ本施錠操作を許容することができる。即ち、前述した特許文献１に記載の錠前装置では、使用者が摘み操作部材による仮施錠を失念する等して、摘み操作部材が解除位置側にある状態（つまりロックレバーによる引戸の閉止状態が解除された状態）で、シリンダ錠による本施錠を行う惧れがある。これに対し、本発明の錠前装置１によれば、キーロータ用ロック機構７６によって、仮施錠の前に本施錠を行う誤操作を防止することができ、仮施錠及び本施錠を確実に行うことができるので、防犯面での安全性を高めることができる。
【００６２】
ボタン用ロック機構７７の第２アーム８３は、キーロータ６１の解錠位置でボタン本体３４との係合を解除し、キーロータ６１の本施錠位置でボタン本体３４に係合するように構成されている。これにより、解錠の状態および仮施錠の状態における仮施錠ボタン７の押圧操作を許容しつつ、本施錠の状態における仮施錠ボタン７の押圧操作を阻止することができる。
【００６３】
仮施錠ボタン７による仮施錠時とその解錠時に、赤色の表示部材２１と青色の表示部材２２が仮施錠表示用窓部２３から択一的に出現すると共に、キーＫによる本施錠時とその解錠時に、赤色の表示部材７０ａと青色の表示部材７０ｂが本施錠表示用窓部５９ａから択一的に出現するように構成した。このため、解錠の状態、仮施錠の状態、及び本施錠の状態を容易に認識することができる。また、これら表示部材２１，２２，７０ａ，７０ｂは、蓄光性物質を含有する合成樹脂材料からなり、夜間でも蓄光作用により発光するため、夜間視認性に優れたものとすることができる。従って、昼夜を問わず物置内に人がいる状態でうっかり施錠（仮施錠あるいは本施錠）してしまうことを防止することができる。
【００６４】
ロックレバー１０の裏側に、ロックレバー１０と一体的に回動する内側開錠レバー８８を設けた。これによれば、物置内に人がいる状態で誤って施錠しても、内側開錠レバー８８の回動操作によって、キーＫを用いることなく、内部空間側から容易に解錠することができる。
【００６５】
本体ケース２及びカバー３に、内側開錠レバー８８の把持部９５の回動範囲に臨む採光用開口部９６及び９８を設けた。これらの開口部９６，９８から物置内に外光を採り入れ、把持部９５の近傍部を照らすことができるので、内側開錠レバー８８の視認性を向上させることができる。また、内側開錠レバー本体９３は、蓄光性物質を含有する合成樹脂材料からなり、夜間でも物置内の暗所において蓄光作用により発光するため、夜間視認性にも優れたものとすることができる。更に、採光用開口部９６を覆う透光性部材９７を、本体ケース２の裏側に水密に設けたので、採光機能を損なうことなく、当該開口部９６からの雨水等の侵入を防止することができる。
【００６６】
本体ケース２に設けたカバー３は、ロックレバー１０、シリンダ錠６０、カム機構２７キーロータ用ロック機構７６及びボタン用ロック機構７７を収容し、且つ内側開錠レバー８８の把持部９５を前記内部空間側に露出させると共に、側壁部３ａに、ロックレバー１０のフック部１０ｂを露出させる切欠部１１が形成されている。従って、カバー３によって、カム機構２７等の可動部材に使用者の手が触れないように保護することができ、把持部９５の回動操作を安全且つ容易に行うなうことができる。
【００６７】
カム機構２７は、仮施錠ボタン７が突出位置にあるとき、揺動部材４３の押圧部４７がカム部材５４の山部５５ａから離間した非接触状態にある。従って、内側開錠レバー８８によって、ロックレバー１０（及びカム部材５４）を独立に回動させて、本施錠の状態の解除および仮施錠の状態の解除を確実に行うことができる。また、押圧部４７の角錐部４７ａを四角錐状に形成したので、山部５５ａ及び谷部５５ｂ、５５ｃからなるカム面に対して押圧部４７の良好な当接状態を得ることができ、カム部材５４を確実に動作させることができる。
【００６８】
＜第２実施形態＞
図１４〜図１９は、本発明の第２実施形態を示すものであり、第１実施形態と異なるところを説明する。図１５は本実施形態における要部の拡大斜視図を、図１４はロックレバー１０とカム機構１００の拡大斜視図を示しており、第１の実施形態と同一部分には同一符号を付している。
【００６９】
本実施形態のカム機構１００は、第１実施形態のカム機構２７とは以下の点について相違する。即ち、図１４に示すように、カム機構１００の揺動部材４３には、上側（つまりロックレバー１０側）の先端部に位置して肉厚な装着部１０１が形成されており、この装着部１０１に、押圧ピン（押圧部）１０２が突設されている。押圧ピン１０２は、カム部材５４の山部５５ａ及び谷部５５ｂ、５５ｃに当接可能な小径円柱状に形成されている。
【００７０】
一方、ブラケット４８は、ほぼ矩形板状をなすブラケット本体１０３と、その前端部に形成された上向きの取付片部４８ａ，４８ａと、後端部に形成された下向きの係止片部１０３ａを一体に有して構成されている。このブラケット本体１０３の前側（図１４では上側）には、カムロータ１０４が配置されている。カムロータ１０４は、上下方向に延びる板状をなし、中央部に前記軸部１５を挿通させる中央孔１６が形成されていると共に、カムロータ１０４の上部に、後述する支持ピン１０５を挿通させる円弧溝１０６が形成されている。このカムロータ１０４において半円状をなす上端部には補助駆動ピン１０７が固着されると共に、カムロータ１０４の下端部には、第１アーム８０の上側延出部８０ａに当接可能な枠状の当接部１０８が延設されている。この当接部１０８の中心部には、カム部材５４の駆動ピン２８に係合する第１駆動溝１０８ａが形成されている。これにより、カムロータ１０４は、当該駆動ピン２８に連動して、図１６に示す解除位置と図１７に示すロック位置との間で回動中心軸Ｏ１の回りに回動するようになっている。このカムロータ１０４は、前述した揺動部材４３、引張りコイルばね４６、押圧ピン１０２、ブラケット４８、カム部材５４、駆動ピン２８等と共に本実施形態のカム機構１００を構成する。
【００７１】
図１４に示すように、カムロータ１０４の中央孔１６の周りには、複数の小孔１８ｅ，１８ｆ，１９ａ，１９ｂ，２０ａ，２０ｂが形成されている。これら小孔１８ｅ〜２０ｂのうち、小孔１８ｅ，１８ｆには、前側から表示部材２１，２２が装着されている。赤色の表示部材２１は角状の脚部２１ｅを一体的に有し、この脚部２１ｅが小孔１８ｅに嵌り込むことでカムロータ１０４に固定されている。同様に、青色の表示部材２２は、脚部２２ｆを一体的に有し、この脚部２２ｆが小孔１８ｆに嵌り込むことでカムロータ１０４に固定されている。これにより、表示部材２１，２２がカムロータ１０４の回動方向（図１４中、矢印Ｅ１，Ｅ２方向参照）に連なるように配置されている。
【００７２】
図１５に示すように、本体ケース２の前壁部４には、軸部１５の下側に位置してカムロータ１０４に臨む矩形状の窓部（以下、仮施錠表示用窓部１０９と称す）が設けられている。この仮施錠表示用窓部１０９は、カムロータ１０４のロック位置で赤色の表示部材２１（図１７参照）が出現し、解除位置で青色の表示部材２２（図１６参照）が出現するように形成されている。また、本体ケース２の前壁部４には、カムロータ１０４の小孔１９ａ，１９ｂに対応する節度付与手段２４（図１５参照）が、軸部１５の左側に位置して配設されている。この節度付与手段２４の詳細は、第１実施形態と同様である。
【００７３】
カムロータ１０４の小孔２０ａ，２０ｂ（図１４参照）には、接続部材８９の凸部８９ｂ、８９ｂ（図７参照）が嵌合しており、カムロータ１０４と接続部材８９ひいては内側開錠レバー８８が一体に回動するようになっている。尚、本実施形態の接続部材８９には、ブラケット４８や表示部材２２の脚部２２ｆ等の構成部品との干渉を避けるよう、ほぼ半周に亙って軸方向に切り欠いた切欠部１１０（図１５参照）が形成されている。
【００７４】
さて、本実施形態のロックレバー１０は、本体ケース２の軸部１５の上側に設けられた支持ピン１０５に、回動自在に支持されている。詳細には、図１４に示すように、ロックレバー１０の基端部１１１には、支持ピン１０５を挿通させる孔部１１２が形成されると共に、カムロータ１０４の補助駆動ピン１０７を挿通させる第２駆動溝１１３が形成されている。第２駆動溝１１３は、ロックレバー１０の長手方向に延び且つ基端側が広がる湾曲状をなしている。これにより、ロックレバー１０は、カムロータ１０４の解除位置とロック位置との間の回動に伴い補助駆動ピン１０７が第２駆動溝１１３に係合することで、回動中心軸Ｏ２（図１５参照）の回りに開位置と閉位置との間を回動するようになっている。
【００７５】
次に、上記構成の作用について図１６〜図１９も参照しながら説明する。ここで、図１６は解錠の状態、図１７は仮施錠の状態、図１８は本施錠の状態を示している。
まず、図１６に示す解錠の状態では、カムロータ１０４が解除位置にあり、ロックレバー１０は開位置で保持されている。また、仮施錠ボタン７が押圧操作されていないとき、揺動部材４３は縦向きの中立位置にあり、揺動部材４３の押圧ピン１０２がカム部材５４の山部５５ａから離間した状態にある。そして、第１アーム８０は、上側延出部８０ａがカムロータ１０４の当接部１０８と当接し、下側角部８０ｂがロックプレート７５の切欠部７５ｂに係合した状態となっている。従って、解錠の状態では、キー挿入穴６１ａにキーＫが挿入されてもキーロータ６１が本施錠方向へ回動されても、第１アーム８０によって本施錠が阻止される。
【００７６】
この解錠の状態において、仮施錠ボタン７が圧縮コイルばね４１の付勢力に抗して押込み位置側へ押圧操作されると、揺動部材４３は仮施錠ボタン７の作動板３５と一体に押込み位置側へ移動する。このとき、揺動部材４３は、押圧ピン１０２でカム部材５４の一方の谷部５５ｂに当接することに伴い、カム部材５４を一方（図１６中、左側）に傾ける矢印Ａ１方向へ揺動し、駆動ピン２８を介してカムロータ１０４を矢印Ｅ１方向へ回動させる。このカムロータ１０４の回動の際、補助駆動ピン１０７がロックレバー１０の第２駆動溝１１３に係合して、ロックレバー１０を矢印Ｇ１方向へ回動させる。
【００７７】
そして、図１７に示すように、揺動部材４３が中立位置から二点鎖線の位置まで揺動すると、カムロータ１０４が解除位置からロック位置まで移動されると共に、補助駆動ピン１０７を介してロックレバー１０が開位置から閉位置まで回動された横向きの状態となる。このとき、ロックレバー１０のフック部１０ｂが物置本体に対して係止すると共に、カムロータ１０４が節度付与手段２４によってロック位置で保持され、仮施錠表示用窓部１０９から赤色の表示部材２１が覗く仮施錠の状態となる。また、カムロータ１０４の解除位置からロック位置への回動に伴い、第１アーム８０が、ねじりコイルばね８１の付勢力により図１７中、矢印Ｂ１方向へ傾いて、下側角部８０ｂとロックプレート７５の切欠部７５ｂとの係合を解除することにより、キーロータ６１の回動操作を許容する。
【００７８】
図１７に示す仮施錠の状態から再度、仮施錠ボタン７が矢印Ｄ１方向へ押圧操作されると、揺動部材４３は仮施錠ボタン７と一体に押込み位置側へ移動する。そして、揺動部材４３は、押圧ピン１０２が他方の谷部５５ｃに当接することに伴い、カム部材５４を他方（図１７中、右側）に傾ける矢印Ａ２方向へ揺動し、駆動ピン２８を介してカムロータ１０４を矢印Ｅ２方向へ回動させる。これにより、図１６に示すように揺動部材４３が中立位置から二点鎖線の位置まで揺動すると、カムロータ１０４がロック位置から解除位置まで移動されると共に、補助駆動ピン１０７を介してロックレバー１０が閉位置から開位置まで回動された上向きの状態となる。このとき、ロックレバー１０のフック部１０ｂが物置本体に対して退避すると共に、カムロータ１０４が節度付与手段２４によって解除位置で保持され、仮施錠表示用窓部１０９から青色の表示部材２２が覗く解錠の状態となる。また、カムロータ１０４のロック位置から解除位置への回動に伴い、第１アーム８０は、上側延出部８０ａがカムロータ１０４の当接部１０８に当接して矢印Ｂ２方向へ傾くように押圧されると共に、下側角部８０ｂがロックプレート７５の切欠部７５ｂに係合することで、キーロータ６１に対する本施錠操作が阻止される。
【００７９】
尚、上記のように仮施錠ボタン７を押込み位置まで押圧した後、その押圧操作力を解除すると、カムロータ１０４の解除位置あるいはロック位置が維持された状態で、圧縮コイルばね４１の付勢力により仮施錠ボタン７が突出位置へ復帰すると共に、揺動部材４３の押圧ピン１０２がカム部材５４の山部５５ａから離間し、且つ引張りコイルばね４６の付勢力によって揺動部材４３が中立位置に復帰する。
【００８０】
次に、内側開錠レバー８８による本施錠の状態の解除方法について説明する。図１８は、本実施形態における本施錠の状態を示しており、仮施錠ボタン７は、第２アーム８３によって押圧操作が阻止されている。ここで、物置の内部空間側から、把持部９５が、図１８中、矢印Ｅ２方向へ回動操作されると、カムロータ１０４が同方向へ一体的に回動する。これにより、カムロータ１０４がロック位置から解除位置まで移動されると、補助駆動ピン１０７を介してロックレバー１０が閉位置から開位置まで回動された上向きの状態となる（図１９参照）。このとき、カムロータ１０４が節度付与手段２４により解除位置で保持されると共に、ロックレバー１０の物置本体に対する係止が外れるため、物置の引戸１３を内部空間側から開けることができる。
【００８１】
上記構成において、ロックレバー１０を図１６に示す開位置に位置させた状態で物置の引戸１３を閉じた場合、開位置のロックレバー１０には、補助駆動ピン１０７ごと図１６中、矢印Ｇ１方向へ回転させる慣性モーメントが作用する。この場合、補助駆動ピン１０７に係合する第２駆動溝１１３は、ロックレバー１０の回動方向と異なる方向（具体的にはロックレバー１０の長手方向）を指向するため、ロックレバー１０の回り止めとして機能する。つまり、補助駆動ピン１０７が第２駆動溝１１３に係合することで、物置の引戸１３を開閉する際に、そのはずみでロックレバー１０が閉位置に回動するのを防止することができるのである。
【００８２】
他方、図１８に示す閉位置のロックレバー１０を直接、抉じ開けようとすると、ロックレバー１０には、補助駆動ピン１０７ごと矢印Ｇ２方向へ回転させる力が作用する。この場合も、補助駆動ピン１０７に係合する第２駆動溝１１３がロックレバー１０の回り止めとして機能するため、ロックレバー１０を不正に抉じ開けるのを防止することができる。即ち、ロックレバー１０の開位置および閉位置は、節度付与手段２４によってカムロータ１０４を介し間接的に保持されるだけでなく、補助駆動ピン１０７が第２駆動溝１１３に係合することによっても保持される。従って、物置の引戸１３を開閉する際に、ロックレバー１０が閉位置に回動する誤作動を確実に防止することができると共に、本施錠の状態におけるロックレバー１０の抉じ開けを防止することができ、防犯面での安全性をより向上させることができる。その他、本実施形態によれば、カム機構１００によって、解錠の状態と仮施錠の状態との間の移行を一個の仮施錠ボタン７に対する押圧操作により行うことができる等、第１実施形態と同様の効果を得ることができる。
【００８３】
尚、本発明は上記した実施形態にのみ限定されるものではなく、次のように変形または拡張することができる。本発明の錠前装置１は物置に限られず、大形の金庫など人が出入り可能な内部空間を有する構造体全般に適用できるものである。
【００８４】
カム機構２７、１００は、上記構成に限定するものではなく、仮施錠ボタン７の押圧操作に伴いロックレバー１０を開位置から閉位置へ回動させ、仮施錠ボタン７の再度の押圧操作に伴いロックレバー１０を閉位置から開位置へ回動させる所謂プッシュ・プッシュ式のものであればよい。例えば、本体ケース２に、ブラケット４８に相当するブラケット部を一体成形してもよいし、引張りコイルばね４６に代えて、図２０に示すような圧縮コイルばね１１４を用いるようにしてもよい。即ち、図２０に示すように、作動板３５の後面に、揺動部材４３の下方に位置して円弧状のばね掛部１１５を設ける。このばね掛部１１５に、揺動部材用付勢部材としての圧縮コイルばね１１４を、横向きで且つその下半部を収容するように配設する。他方、揺動部材４３の下端部に、下側が開放された「コ」の字状のばね掛部１１６を形成し、このばね掛部１１６に、圧縮コイルばね１１４上半部の両端部を係止する。この圧縮コイルばね１１４によっても、揺動部材４３を中立位置に付勢することができる。尚、図２０は、揺動部材４３がＡ２方向へ揺動した状態を示している。
【００８５】
表示部材２１，２２及び表示部材７０ａ，７０ｂは、その表示につき赤色と青色等、２色のものに限定するものではなく、「開」「閉」の文字を表示部材に印刷したものなど相互に異なる２つの表示を有する構成であればよい。また、表示部材２１，２２及び表示部材７０ａ，７０ｂは少なくともその表面部分が、光反射性または蓄光性を有する材料により構成されていればよく、例えば表示部材の表面に蓄光性塗料の層を形成したり、反射テープを貼付してもよい。
【００８６】
内側開錠レバー８８は少なくともその表面部分が、光反射性または蓄光性を有する材料により構成されていればよく、例えば内側開錠レバーの表面に蓄光性塗料の層を形成したり、反射テープを貼付してもよい。この他、本発明は、採光用開口部９６，９８を、多数の丸孔から構成する等、適宜変更してもよい。
【図面の簡単な説明】
【００８７】
【図１】本発明の第１実施形態を示すもので、（ａ）は本施錠の状態における錠前装置の正面図、（ｂ）は背面図
【図２】錠前装置の構成部品を分解した状態の外観斜視図
【図３】図１（ａ）のＡ−Ａ線に沿う縦断側面図
【図４】図１（ａ）のＢ−Ｂ線に沿う横断面図
【図５】仮施錠ボタンが押込み位置へ移動された解錠の状態を示す図３相当図
【図６】ロックレバーとカム機構の拡大斜視図
【図７】組付け時の錠前装置を示す背面側からの斜視図
【図８】（ａ）〜（ｄ）は、図３のＣ−Ｃ線に沿う錠前装置の横断面図であって、解錠の状態から仮施錠の状態へ移行する途中の状態を説明するための図
【図９】（ａ）〜（ｄ）は、仮施錠の状態から解錠の状態へ移行する途中の状態を示す図８相当図
【図１０】解錠の状態において、カバーを省略して示す錠前装置の背面図
【図１１】仮施錠の状態における図１０相当図
【図１２】本施錠の状態における図１０相当図
【図１３】内側開錠レバーにより本施錠の状態が解除された状態を示す図１０相当図
【図１４】本発明の第２実施形態を示す図６相当図
【図１５】カバーを省略して示す錠前装置の上部の背面側からの拡大斜視図
【図１６】図１０相当図
【図１７】図１１相当図
【図１８】図１２相当図
【図１９】図１３相当図
【図２０】本発明の変更形態を示すものであり、カバーを省略して示す錠前装置の背面図
【符号の説明】
【００８８】
図面中、１は錠前装置、２は本体ケース、３はカバー、７は仮施錠ボタン、１０はロックレバー、１１は切欠部、１９はカムピン、２１，２２は表示部材、２３は仮施錠表示用窓部（窓部）、２５は当接部、２６は駆動溝、２７はカム機構、２８は駆動ピン、４１は圧縮コイルばね（ボタン用付勢部材）、４３は揺動部材、４４はピン、４６は引張りコイルばね（揺動部材用付勢部材）、４７は押圧部、４８はブラケット、５４はカム部材、５５ａは山部、５５ｂ，５５ｃは谷部、５６はシリンダ錠取付部、６０はシリンダ錠、６１はキーロータ、６１ａはキー挿入穴、７５はロックプレート（係合部材）、７６はキーロータ用ロック機構、７７はボタン用ロック機構、８０は第１アーム、８１はねじりコイルばね（第１付勢部材）、８３は第２アーム、８６はねじりコイルばね（第２付勢部材）、８８は内側開錠レバー、９５は把持部、９６，９８は採光用開口部、１００はカム機構、１０２は押圧ピン（押圧部）、１０４はカムロータ、１０７は補助駆動ピン、１０８は当接部、１０８ａは第１駆動溝、１０９は仮施錠表示用窓部（窓部）、１１３は第２駆動溝、１１４は圧縮コイルばね（揺動部材用付勢部材）、Ｋはキーを示す。
【図１】
2009167663.tif 000003
【図２】
2009167663.tif 000004
【図３】
2009167663.tif 000005
【図４】
2009167663.tif 000006
【図５】
2009167663.tif 000007
【図６】
2009167663.tif 000008
【図７】
2009167663.tif 000009
【図８】
2009167663.tif 000010
【図９】
2009167663.tif 000011
【図１０】
2009167663.tif 000012
【図１１】
2009167663.tif 000013
【図１２】
2009167663.tif 000014
【図１３】
2009167663.tif 000015
【図１４】
2009167663.tif 000016
【図１５】
2009167663.tif 000017
【図１６】
2009167663.tif 000018
【図１７】
2009167663.tif 000019
【図１８】
2009167663.tif 000020
【図１９】
2009167663.tif 000021
【図２０】
2009167663.tif 000022